(57)【要約】      （修正有）【課題】コネクタを収納して保護することが可能な接続装置を提供する。【解決手段】ハウジング１０は、一つの第一側面１０ａ、一つの第二側面、一つの第一収納溝１２、一つの第二収納溝１４、一つの第一通線孔１６及び一つの第二通線孔１８を有する。第一収納溝は、第一側面から凹んで、形成され、第二収納溝は、第二側面から凹んで、形成されている。また、第一通線孔は、第一収納溝の底部を貫通し、第二通線孔は、第二収納溝の底部を貫通している。第一通線孔と第二通線孔は、互いに繋がっている。第一接続器２４は、ハウジングと分離可能に第一収納溝の中に収納され、同様に、第二接続器２６は、第二収納溝の中に収納されている。接続ケーブル２２は、巻線機２０とともにハウジングの内部に収納されている。【選択図】図１
0003193654.tif 000002
【実用新案登録請求の範囲】
【請求項１】
一つのハウジングと、一つの第一接続器と、一つの第二接続器と、一つの接続ケーブルと、を備え、
前記ハウジングは、一つの第一側面、一つの第二側面、一つの第一収納溝、一つの第二収納溝、一つの第二収納溝、一つの第一通線孔及び一つの第二通線孔を有し、
前記第一収納溝は、前記第一側面から凹んで形成されており、
前記第二収納溝は、前記第二側面から凹んで形成されており、
前記第一通線孔は、前記第一収納溝の底部を貫通しており、
前記第二通線孔は、前記第二収納溝の底部を貫通しており、
前記第一通線孔及び前記第二通線孔は、互いに繋がっており、
前記第一接続器は、前記ハウジングと分離可能に前記第一収納溝に収納されており、
前記第二接続器は、前記ハウジングと分離可能に前記第二収納溝に収納されており、
前記接続ケーブルは、前記ハウジングの内部に収納されており、前記第一通線孔を貫通し前記第一接続器に電気的に接続している第一端、及び、前記第二通線孔を貫通する前記第二接続器に電気的に接続している第二端を有することを特徴とする接続装置。
【請求項２】
前記接続ケーブルを巻くのに用いられる一つの巻線機をさらに備えることを特徴とする請求項１に記載の接続装置。
【請求項３】
前記第一接続器は前記ハウジングの第一収納溝の溝長さより小さい所定長さを有し、
前記第二接続器は前記ハウジングの第二収納溝の溝長さより小さい所定長さを有する
ことを特徴とする請求項２に記載の接続装置。
【請求項４】
前記第一接続器は所定幅を有し、
前記第二接続器は所定幅を有し、
前記ハウジングの第一収納溝は、互いに繋がっている一つの案内部及び一つの収納部を有し、
前記ハウジングの第二収納溝は、互いに繋がっている一つの案内部及び一つの収納部を有し、
前記案内部は、前記収納部の溝間隔より大きい溝間隔を有し、
前記収納部は、前記第一接続器あるいは前記第二接続器の幅以下である溝間隔を有することを特徴とする請求項２に記載の接続装置。
【請求項５】
前記第一接続器は、所定高さを有し、
前記第二接続器は、所定高さを有し、
前記ハウジングの第一収納溝は、所定溝深さを有し、
前記ハウジングの第二収納溝は、所定溝深さを有し、
前記第一接続器の高さは、前記第一収納溝の溝深さ以下であり、
前記第二接続器の高さは、前記第二収納溝の溝深さ以下であることを特徴とする請求項２に記載の接続装置。
【請求項６】
前記ハウジングは、一つの第三側面、一つの第三収納溝、一つの第三通線孔、第三接続器及び接続ケーブルをさらに有し、
前記第三収納溝は、前記第三側面から凹んで形成されており、
前記第三通線孔は、前記第三収納溝の底部を貫通しており、前記第一通線孔及び前記第二通線孔と繋がっており、
前記第三接続器は、前記ハウジングと分離可能に前記第三収納溝に収納されており、
前記ハウジングの接続ケーブルは、前記第三通線孔を貫通し前記第三接続器に電気的に接続されている一つの第三端を有することを特徴とする請求項２に記載の接続装置。
【請求項７】
前記第一接続器および前記第二接続器のうち少なくとも一方の一端は、ケーブルを固定するのに用いられる環状部材を有し、
前記接続ケーブルは、一端が前記環状部材によって対応する接続器に電気的に接続されていることを特徴とする請求項１に記載の接続装置。
【考案の詳細な説明】
【技術分野】
【０００１】
本考案は、接続装置に関し、特に収納機能を有する接続装置に関する。
【背景技術】
【０００２】
現在、電気製品のコネクタの規格は、市場に多く存在している。３Ｃ製品の中に最も多く使用されたＵＳＢを例に挙げると、ＵＳＢコネクタの規格は、Ｔｙｐｅ−Ａ、Ｔｙｐｅ−Ｂ、ｍｉｎｉＵＳＢ及びｍｉｃｒｏＵＳＢ等通用する規格だけではなく、各会社が開発した独自の規格を含む。異なる電気製品の間に電気的に接続する時、異なる規格の二つの電気コネクタ及び一つの接続ケーブルを備える接続装置を使用する必要がある。つまり、中継接続装置の接続ケーブルの両端が接続した異なる規格の電気コネクタを異なる電気製品の接続部に挿入することによって、二つの電気製品の間に電力、あるいは信号を伝送する目的が達成される。
【０００３】
しかしながら、従来の接続装置は、使用されていない時、接続ケーブル及び両端の電気コネクタが適切に収納されていないため、電気コネクタの汚れ及び外力による電気コネクタの破損が問題となる。破損の程度が軽い場合、電気接続の機能に影響を及ぼす。破損の程度が重い場合コネクタが使用できなくなる。構造が完備しないため、従来の接続装置には改善の余地がある。
【考案の概要】
【考案が解決しようとする課題】
【０００４】
本考案は、上述の問題に鑑みてなされたものであり、その目的は、収納及びコネクタを保護可能な接続装置を提供することにある。
【課題を解決するための手段】
【０００５】
上述の目的を達成するために、本考案の接続装置は、一つのハウジング、一つの第一接続器、一つの第二接続器及び一つの接続ケーブルを備える。ハウジングは、一つの第一側面、一つの第二側面、一つの第一収納溝、一つの第二収納溝、一つの第一通線孔及び一つの第二通線孔を有する。一つの第一収納溝は、第一側面から凹んで、形成されている。一つの第二収納溝は、第二側面から凹んで、形成されている。また、一つの第一通線孔は、第一収納溝の底部を貫通している。一つの第二通線孔は、第二収納溝の底部を貫通している。第一通線孔及び第二通線孔は、互いに繋がっている。第一接続器は、ハウジングと分離可能に第一収納溝の中に収納されている。同様に、第二接続器は、ハウジングに対する分離可能に第二収納溝の中に収納されている。接続ケーブルは、ハウジングの内部に収納されている。接続ケーブルは、第一通線孔を突き抜け第一接続器を電気的に接続する一つの第一端を有する。接続ケーブルは、第二通線孔を突き抜け第二接続器を電気的に接続する一つの第二端を有する。
【０００６】
本考案は、異なる規格のコネクタをそれぞれ位置が異なる収納溝に収納するため、コネクタの汚れ及び外力による破損を抑制することができる。
【図面の簡単な説明】
【０００７】
【図１】本考案の第一実施形態による接続装置を示す斜視図である。
【図２】本考案の第一実施形態による接続装置の収納状態を示す斜視図である。
【図３】本考案の第一実施形態による接続装置の収納状態を示す斜視図である。
【図４】本考案の第一実施形態による接続装置を示す面面図である。
【図５】本考案の第一実施形態による接続装置を示す側面図である。
【図６】本考案の第二実施形態による接続装置を示す斜視図である。
【考案を実施するための形態】
【０００８】
（第一実施形態）
本発明の実施形態を図面に基づいて詳細に説明する。図１〜図５に示すように、本考案の第一実施形態による電気コネクタの接続装置１００は、一つのハウジング１０、一つの巻線機２０、一つの接続ケーブル２２、一つの第一接続器２４及び一つの第二接続器２６を備える。
【０００９】
ハウジング１０は、一つの第一側面１０ａ及び一つの第二側面１０ｂを有する。他に、ハウジング１０は、一つの第一収納溝１２、一つの第二収納溝、一つの第一通線孔１６及び一つの第二通線孔を有する。第一収納溝１２は、第一側面１０ａから凹んで、形成されている。第二収納溝１４は、第二側面１０ｂから凹んで、形成されている。また、第一通線孔１６は、第一収納溝１２の底部を貫通している。第二通線孔１８は、第二収納溝１４の底部を貫通している。第一通線孔１６及び第二通線孔１８は、全てハウジング１０の内部に通じるため、互いに繋がる。
【００１０】
巻線機２０は、回転可能にハウジング１０の内部に設置されている。接続ケーブル２２は、巻線機２０に周設されている。また、接続ケーブル２２の両端は、第一端２２ａ及び第二端２２ｂである。中に、第一端２２ａは、第一通線孔１６を突き抜け、第一接続器２４を電気的に接続している。第二端２２ｂは、第二通線孔１８を突き抜け、第二接続器２６を電気的に接続している。よって、異なる規格の第一接続器２４及ぶ第二接続器２６は、接続ケーブル２２によって、電気的に接続されているため、互いに電力、あるいは信号を伝送可能である。巻線機２０は、自動的に接続ケーブル２２を巻く功能を有する。
【００１１】
第一実施形態による第一接続器２４及び第二接続器２６は、ハウジング１０に対する分離可能に設計されている。図１に示すように、第一接続器２４及び第二接続器２６は、ハウジング１０から脱離し、異なる電気製品の接続部に挿入可能である。図２及び図３に示すように、第一接続器２４は、ハウジング１０の第一収納溝１２に収納されている。第二接続器２６は、ハウジング１０の第二収納溝１４に収納されている。
【００１２】
電気コネクタとして使用された第一接続器２４及び第二接続器２６を有効に収納、あるいは保護するために、ハウジング１０の第一収納溝１２及び第二収納溝１４は、溝長、溝間隔及び溝深さにおいて、収納後接続器がハウジング１０から露出しないように、各接続器の外形に合わせて設計されている。第一接続器２４と第一収納溝１２との間の関係を例に挙げ、以下に説明する。図４及び図５に示すように、第一接続器２４は、長さＬ１、幅Ｗ１及び高さＨ１を持つ。ハウジング１０の第一収納溝１２は、溝長Ｌ２、溝間隔Ｗ２及び溝深さＨ２を持つ。優れたものは、第一接続器２４の長さＬ１が第一収納溝１２の溝長より小さいこと、また、第一接続器２４の高さＨ１が第一収納溝１２の溝深さＨ２より小さい、あるいは等しいことである。よって、第一収納溝１２の中に収納された第一接続器２４の各側面及び辺端がハウジング１０から露出しないことを確実に保証する。また、第一接続器２４は、幅Ｗ１が第一収納溝１２の溝間隔Ｗ２より少し大きい、あるいは等しいため、確実に第一収納溝１２に収納され、容易に第一収納溝から落ちない。第一接続器２４の固着性が高まるために、第一収納溝１２の内壁は、選択可能に弾性の材質で作られ、あるいは圧力による変形能力を有するよう製造されている。
【００１３】
また、順調に第一接続器２４を取り出したり、入れたりするために、第一実施形態による第一収納溝１２は、区切った案内部１２ａ及び収納部１２ｂを有する。案内部及び収納部は、互いに繋がる。案内部１２ａは、外へ広がるラッパ状に形成されている。収納部１２ｂは、等幅で設計されている。また、収納部の溝間隔が案内部１２ａの最も小さい溝間隔より小さい。収納部１２ｂの溝間隔Ｗ２は、第一接続器２４の幅Ｗ１より小さい、あるいは等しい。案内部１２ａは、第一接続器２４を入れる、あるいは取り出すことに便利である。
【００１４】
（第二実施形態）
本考案の第二実施形態による接続装置を図面に基づいて説明する。図６に示すように、接続装置２００は、以上の第一実施形態の部材だけではなく、ハウジング３０の一つの第三側面３０ａから凹んで形成された第三収納溝３２を有する。第三接続器３４は、ハウジングに対する分離可能に第三収納溝３２に収納されている。第三収納溝３２と第三接続器３４との間の寸法関係及び功能は、上述と同じであるため、ここに詳しく説明しなくてもよい。第二実施形態による接続ケーブル３６は、更に一つの第三端３６ａを有する。第三端は、ハウジング３０の第三通線孔（図に示さない）を突き抜け、第三接続器３４を接続している。
【００１５】
また、ハウジングにおける接続器を収納するための収納溝の底部の形状は、接続器の外形に応じて設計されてもよい。例えば、接続器の対応する二つの側面が弧面である時、収納溝の底部の形状は、弧面である。よって、接続器の収納安定性を向上するだけではなく、接続器がハウジングから脱離することを防止可能である。接続器は、予設方向だけから取り出され、使用されている。
【００１６】
第一接続器２４及び第二接続器２６における接続ケーブル２２を電気的に接続する一端は、更にケーブルを固定するための一つの環状部材２３を含む。優れたのは、環状部材２３を第一接続器２４、あるいは第二接続器２６の外殻と一体にすることである。つまり、接続ケーブル２２が環状部材２３によって対応する接続器を接続した一端は、折り曲げでケーブルを損壊しやすいところである。接続ケーブル２２は、環状部材２３の保護のため、折り曲げで壊れにくくなる。よって、接続器と接続ケーブル２２との間のよい電気接続状態が保証されている。
【００１７】
上述した本考案の実施形態は、具体的に説明するためであり、本考案の実用新案登録請求の範囲を制限するものではない。本考案の明細書の応用及び実用新案登録請求の範囲の等価変化は、本考案の実用新案登録請求の範囲に含まれる。
【符号の説明】
【００１８】
１００、２００  接続装置、
１０  ハウジング、
１０ａ  第一側面、
１０ｂ  第二側面、
１２  第一収納溝、
１２ａ  案内部、
１２ｂ  収納部、
１４  第二収納溝、
１６  第一通線孔、
１８  第二通線孔、
２０  巻線機、巻線機
２２  接続ケーブル、
２２ａ  第一端、
２２ｂ  第二端、
２３  環状部材、
２４  第一接続器、
２６  第二接続器、
３０  ハウジング、
３０ａ  第三側面、
３２  第三収納溝、
３４  第三接続器、
３６  接続ケーブル、
３６ａ  第三端、
Ｌ１  第一接続器の長さ、
Ｌ２  第一収納溝の溝長さ、
Ｗ１  第一接続器の幅、
Ｗ２  第一収納溝の溝間隔、
Ｈ１  第一接続器の高さ、
Ｈ２  第一収納溝の溝深さ。
【図１】
0003193654.tif 000003
【図２】
0003193654.tif 000004
【図３】
0003193654.tif 000005
【図４】
0003193654.tif 000006
【図５】
0003193654.tif 000007
【図６】
0003193654.tif 000008
【手続補正書】
【提出日】平成26年8月8日(2014.8.8)
【手続補正１】
【補正対象書類名】実用新案登録請求の範囲
【補正対象項目名】請求項１
【補正方法】変更
【補正の内容】
【請求項１】
一つのハウジングと、一つの第一接続器と、一つの第二接続器と、一つの接続ケーブルと、を備え、
前記ハウジングは、一つの第一側面、一つの第二側面、一つの第一収納溝、一つの第二収納溝、一つの第一通線孔及び一つの第二通線孔を有し、
前記第一収納溝は、前記第一側面から凹んで形成されており、
前記第二収納溝は、前記第二側面から凹んで形成されており、
前記第一通線孔は、前記第一収納溝の底部を貫通しており、
前記第二通線孔は、前記第二収納溝の底部を貫通しており、
前記第一通線孔及び前記第二通線孔は、互いに繋がっており、
前記第一接続器は、前記ハウジングと分離可能に前記第一収納溝に収納されており、
前記第二接続器は、前記ハウジングと分離可能に前記第二収納溝に収納されており、
前記接続ケーブルは、前記ハウジングの内部に収納されており、前記第一通線孔を貫通し前記第一接続器に電気的に接続している第一端、及び、前記第二通線孔を貫通する前記第二接続器に電気的に接続している第二端を有することを特徴とする接続装置。
【手続補正２】
【補正対象書類名】実用新案登録請求の範囲
【補正対象項目名】請求項４
【補正方法】変更
【補正の内容】
【請求項４】
前記第一接続器は所定幅を有し、
前記第二接続器は所定幅を有し、
前記ハウジングの第一収納溝は、互いに繋がっている一つの第一案内部及び一つの第一収納部を有し、
前記ハウジングの第二収納溝は、互いに繋がっている一つの第二案内部及び一つの第二収納部を有し、
前記第一案内部は、前記第一収納部の溝間隔より大きい溝間隔を有し、
前記第一収納部および前記第二収納部は、前記第一接続器あるいは前記第二接続器の幅以下である溝間隔を有することを特徴とする請求項２に記載の接続装置。